(57)【要約】  開封が容易であり、かつ、粘着テープの貼付が容易である新規な粘着テープ包装袋を開示する。本発明による粘着テープ包装袋１０は、支持体１８とその支持体１８の一方の面に設けられた粘着剤層１２とを有する粘着テープ１４を収容し、粘着剤層１２に剥離可能に付着される剥離シート１６から構成されている。また、剥離シート１６が粘着テープ１４と共に折り畳まれ、この折り畳まれた剥離シート１６の内側に粘着テープ１４が封じられている。剥離シート１６を開いた際、粘着テープ１４の粘着剤層１２の半分が確実に露出するよう、その半分の部分には、互いに離隔配置された複数の仮止め部５０〜５４により仮止めが施されている。
2012144287.tif 000002
【特許請求の範囲】
【請求項１】
支持体と、前記支持体の一方の面に設けられた粘着剤層とを有する粘着テープを収容する長方形の粘着テープ包装袋であって、前記粘着剤層に剥離可能に付着される剥離シートからなる第１部分及び第２部分を重ね合わせ、その周辺をシールして構成された粘着テープ包装袋において、
当該粘着テープ包装袋の第１の辺縁に沿う第１のシール部と、前記第１の辺縁に隣接する第２の辺縁に沿い、前記第１のシール部と交差する第２のシール部と、前記第１の辺縁に隣接する第３の辺縁に沿い、前記第１のシール部と交差する第３のシール部とがそれぞれ、対応の辺縁から離間して設けられており、
前記粘着剤層が外側に向くように前記粘着テープが第１部分と第２部分とに折り畳まれた状態で、当該粘着テープ包装袋に収容されており、
前記粘着テープの前記第１部分が、前記粘着テープの前記第２部分よりも大きく、該第２部分からはみ出すはみ出し部分を有しており、
前記はみ出し部分が、前記第１のシール部に隣接して配置されると共に、前記粘着テープの前記第２部分側となる前記剥離シートの部分との間で複数の仮止め部により仮止めされており、
複数の前記仮止め部は、前記第１のシール部、前記第２のシール部及び前記第３のシール部にそれぞれ沿って、隣合う前記仮止め部同士が互いに離隔された状態で配置されていることを特徴とする、粘着テープ包装袋。
【請求項２】
前記第１のシール部、前記第２のシール部及び前記第３のシール部がヒートシール部であることを特徴とする、請求項１に記載の粘着テープ包装袋。
【請求項３】
前記第１の辺縁と前記第１のシール部との間の間隔が摘み代部として機能することを特徴とする、請求項１又は２に記載の粘着テープ包装袋。
【請求項４】
前記剥離シートの、当該粘着テープ包装袋の内側となる層が熱可塑性材料からなり、前記仮止め部が、前記熱可塑性材料の層と前記粘着テープの前記支持体との熱接合によるものであることを特徴とする、請求項１〜３のいずれか一項に記載の粘着テープ包装袋。
【請求項５】
前記仮止め部を介しての、前記剥離シートに対する前記粘着テープの前記支持体の付着力が、前記剥離シートに対する前記粘着剤層の付着力よりも高いことを特徴とする、請求項１〜４のいずれか一項に記載の粘着テープ包装袋。
【請求項６】
前記粘着テープの前記第１部分の前記粘着剤層と前記剥離シートとの付着力を抑制する付着力抑制手段が、前記剥離シートの少なくとも一部分に設けられていることを特徴とする請求項１〜５のいずれか一項に記載の粘着テープ包装袋。
【請求項７】
前記付着力抑制手段が、前記剥離シートの、前記粘着テープの前記第１部分の前記粘着剤層と付着する部分の少なくとも一部分に施されたシリコン処理面であることを特徴とする請求項６に記載の粘着テープ包装袋。
【請求項８】
前記付着力抑制手段が、前記剥離シートの、前記粘着テープの前記第１部分の前記粘着剤層と付着する部分の少なくとも一部分に施されたエンボス加工面及び／又はサンド加工面であることを特徴とする請求項６に記載の粘着テープ包装袋。
【請求項９】
前記粘着テープが皮膚又は粘膜に用いることを特徴とする、請求項１〜８のいずれか一項に記載の粘着テープ包装袋。
【請求項１０】
前記剥離シートの前記第１部分及び前記第２部分が、１枚の剥離シートを折り畳んで構成されていることを特徴とする、請求項１〜９のいずれか一項に記載の粘着テープ包装袋。
【請求項１１】
前記剥離シートの前記第１部分及び前記第２部分がそれぞれ別個独立の剥離シートから構成されており、当該粘着テープ包装袋の前記第１の辺縁に対向する第４の辺縁に沿ってシールされていることを特徴とする、請求項１〜９のいずれか一項に記載の粘着テープ包装袋。
【発明の詳細な説明】
【技術分野】
【０００１】
本発明は、支持体に粘着剤層を有する粘着テープを包装する包装袋に関する。
【背景技術】
【０００２】
従来、種々の形態からなる粘着テープが知られ、ラベル、医療用、化粧用、装飾用、マスキング用、電子工業用、その他種々の用途に使用されている。医療用で使用される粘着テープとしては、パップ剤、プラスター剤、絆創膏、サージカルテープ等の貼付剤の形態で、通常皮膚、粘膜等に貼付される。【０００３】
このような粘着テープは通常、支持体と、その支持体の一方の面に設けられた粘着剤層とを有する粘着テープ、及び、粘着剤層に剥離可能に付着された剥離シートから構成される。粘着テープは製造された後、適度な大きさに裁断され、衛生的かつ物理的に保護するため個別に包装袋に入れられた状態で流通し、販売される場合がある。この場合に、使用の際は、包装袋を破り、粘着テープを取り出し、剥離シートを剥がして粘着剤層を露出させて、貼付部位に貼付する。【０００４】
使用の際によく問題となるのは、剥離シートの剥がしにくさの点である。剥離シートは一般に薄くて柔軟であるため取扱いにくく、剥がすのに時間を要することがある。この点を改善するため、例えば、下記の特許文献１、特許文献２、特許文献３又は特許文献４等に開示されているように、剥離シートの剥がしやすさ及び粘着テープの貼りやすさを追求した種々の剥離シート及び粘着テープが開発されている。【０００５】
これらの剥離シート又は粘着テープはいずれも、粘着テープの貼りやすさの観点から利便性を追求した構造である。確かに便利ではあるが、粘着テープが剥離シート及び包装袋をそれぞれ備える態様を維持していることには変わりがなく、使用後には剥離シート及び包装袋がゴミとして発生する。【０００６】
そこで、従来においては、下記の特許文献５又は特許文献６に記載されているような粘着テープ包装袋が提案されている。この包装袋は、粘着剤層が外側に向くように粘着テープを２つに折り畳み、この二つ折りの粘着テープを間に挟むようにして剥離シートで覆い、剥離シートの周囲をシールしたものである。この構成においては、剥離シートが包装袋として機能するため、従来必要であった包装袋を省略することができる。【０００７】
また、包装袋を開封すべく剥離シートの表側の部分を裏側の部分から引き離した際に、粘着剤層の半分のみが露出するようにするために、二つ折りにされた粘着テープの表側に位置する半分を剥離シートの裏側部分に仮止めする手段が設けられている。これにより、開封した際、粘着テープは二つ折りの状態で剥離シートの表側の部分にて保持され、粘着剤層の表側の半分は露出するため、貼付部位への貼付が容易となる。
【先行技術文献】
【特許文献】
【０００８】
【特許文献１】特開２００７−７５６０２号公報
【特許文献２】特開２００７−７５６０１号公報
【特許文献３】特許第３６８９８０７号明細書
【特許文献４】実開昭５０−１３３７９７号公報
【特許文献５】国際公開第２０１０／０７１１０４号
【特許文献６】国際公開第２０１０／０７３９９３号
【発明の概要】
【発明が解決しようとする課題】
【０００９】
上述した特許文献５又は特許文献６に記載の包装袋は優れたものであるが、使用面や製造面等において更なる改善が求められている。
【課題を解決するための手段】
【００１０】
上記課題を解決するために、本発明は、支持体と、この支持体の一方の面に設けられた粘着剤層とを有する粘着テープを収容する長方形の粘着テープ包装袋であって、前記粘着剤層に剥離可能に付着される剥離シートからなる第１部分及び第２部分を重ね合わせ、その周辺をシールして構成された粘着テープ包装袋において、当該粘着テープ包装袋の第１の辺縁に沿う第１のシール部と、第１の辺縁に隣接する第２の辺縁に沿い、第１のシール部と交差する第２のシール部と、第１の辺縁に隣接する第３の辺縁に沿い、第１のシール部と交差する第３のシール部とがそれぞれ、対応の辺縁から離間して設けられており、粘着剤層が外側に向くように粘着テープが第１部分と第２部分とに折り畳まれた状態で、当該粘着テープ包装袋に収容されており、粘着テープの第１部分が、粘着テープの第２部分よりも大きく、該第２部分からはみ出すはみ出し部分を有しており、はみ出し部分が、第１のシール部に隣接して配置されると共に、粘着テープの第２部分側となる剥離シートの部分に仮止めがされていることを特徴としている。【００１１】
かかる構成においては、第１〜第３のシール部が対応の辺縁から離れて設けられているため、第１のシール部と第１の辺縁との間の部分から開封を開始すると、第１のシール部と第２のシール部又は第３のシール部が交差している角部に開封する力が集中し易く、軽い力でシール部を破って開封することができる。上述した特許文献５又は特許文献６に記載の包装袋では、第２と第３のシール部と対応の辺縁との間に間隙は設けられていなかったが、その場合には、開封時の力は第１のシール部の直線部分に作用し分散してしまうため、開封に相当な力を要することになるが、本発明ではそのような問題はない。【００１２】
なお、この包装袋の開封をより一層容易にするために、第１の辺縁と第１のシール部との間の間隔を摘み代部として用いるようにすることが好ましい。【００１３】
また、粘着テープの仮止め部の存在によって、開封すると、粘着テープの第１部分は第２部分側の剥離シートに保持され、粘着剤層の半分のみが露出することになる。しかし、本発明の構成では、前述したように、第１のシール部と第２のシール部の交差角部から包装袋が開封されることになるため、特許文献５又は特許文献６に記載の包装袋のように第１のシール部に平行な仮止め部だけでは保持されないことも考えられる。そこで、本発明では、仮止め部は第１のシール部に沿うものだけではなく、第２のシール部及び第３のシール部に沿う部分でも行うこととしている。【００１４】
更に、本発明では、この仮止めを点状ないしは不連続に施すこととしている。すなわち、小さな仮止め部を複数箇所に、隣接する仮止め部同士が互いに離隔するように、設けることとしている。貼付部位への貼付を考えた場合、仮止め部を介しての、剥離シートに対する粘着テープの支持体の付着力は、剥離シートに対する粘着剤層の付着力よりも高いことが必要であるが、仮止め部が連続する帯状の大面積のものである場合、粘着テープの支持体への付着力が大きくなる傾向があり、また、その付着力を調整することも困難である。これに対して、本発明のように小さな仮止め部を複数、不連続に配置した場合、付着力を小さくすることができ、また、仮止め部の数や大きさを調整することで付着力を容易にコントロールすることができる。【００１５】
なお、剥離シートの、粘着テープ包装袋の内側となる層を熱可塑性材料から構成した場合、仮止め部は、熱可塑性材料の層と粘着テープの支持体との熱接合によるものとすることができる。これは、第１〜第３のシール部がヒートシール部である場合、ヒートシールと熱接合を連続的に、或いは同時に行うことを可能とするものであり、製造効率が格段に向上するという効果を奏する。【００１６】
粘着テープの第１部分の粘着剤層と剥離シートとの付着力を抑制する付着力抑制手段が、剥離シートの少なくとも一部分に設けられていることが好ましい。開封した際に、簡単に粘着剤層が剥離シートから離れて粘着剤層が露出するため、貼付部位への貼付が容易となるからである。【００１７】
剥離シートは、粘着テープの粘着層を使用時まで保護することができれば、その材質、構成は特に限定はされないが、外層からセロハンフィルム、プラスチックフィルム、アルミニウム箔、次いで内層に更にプラスチックフィルムを積層した構成が好ましく、更に付着力抑制手段が、剥離シートの、粘着テープの第１部分の粘着剤層と付着する部分の少なくとも一部分に施されたシリコン処理面であることが好ましい。種々の付着力抑制手段の中でもシリコン処理は比較的容易かつ安価に行うことができるという利点がある。付着力抑制手段としては他に、当該部分にエンボス加工及び／又はサンド加工を施してもよい。【００１８】
なお、本発明の包装袋は貼付部位への貼付を容易にするものであるから、粘着テープは皮膚又は粘膜に用いるものであることが有効である。【００１９】
また、本発明の包装袋としては、いわゆる三方シール包装型、すなわち剥離シートの第１部分及び第２部分が１枚の剥離シートを折り畳み、３辺をシールしたものである場合と、いわゆる四方シール包装型、すなわち、剥離シートの第１部分及び第２部分がそれぞれ別個独立の剥離シートから構成し、４辺をシールしたものである場合とが代表的である。
【発明の効果】
【００２０】
上述したように、本発明によれば、開封が容易であり、また、確実に粘着テープの半分の粘着剤層を露出させることができるので、貼付部位への貼付が容易となる。しかも、剥離シートの半分を剥がした後、粘着テープは剥離シートの残りの部分上で支えられ或いは補強された状態となるので、粘着剤同士が接着し粘着テープが使用できない状態になることもなく、これも貼付を容易にするものである。また、粘着テープが人体に貼付することができる貼付剤、すなわちプラスター剤、パップ剤や絆創膏、サージカルテープ、貼るタイプのケミカルカイロなどの場合、貼付部位が一人では貼付しにくい背中等であっても、手を汚さず片手で容易に貼付することができる。【００２１】
また、本発明の粘着テープ包装袋によれば、仮止め部の付着力を容易に調整することができるため、製造効率が向上すると共に、安定した機能を確保することも可能となる。
【図面の簡単な説明】
【００２２】
【図１】本発明の一実施形態に係る粘着テープ包装袋の正面図である。
【図２】（ａ）〜（ｃ）は図１の粘着テープ包装袋の製造工程を示す斜視図である。
【図３】図１のIII−III線に沿っての概略断面図である。
【図４】（ａ）及び（ｂ）は図１の粘着テープ包装袋の使用方法を示す斜視図である。
【図５】（ａ）〜（ｄ）は図１の粘着テープ包装袋を用いて粘着テープを貼付部位に貼付する場面を示す図である。
【図６】（ａ）及び（ｂ）はそれぞれ仮止め部の他の形状を示す図である。
【図７】（ａ）〜（ｃ）は四方シール包装型の粘着テープ包装袋の製造工程を示す斜視図である。
【発明を実施するための形態】
【００２３】
以下、図面を参照しながら本発明の好適な実施形態について説明する。なお、全図を通して同一又は相当部分には同一符号を付し、その重複した説明は省略する。
【００２４】
図１は、本発明の好適な実施形態に係る粘着テープ包装袋１０を示す正面図であり、図２の（ａ）〜（ｃ）は、図１の粘着テープ包装袋１０の製造工程を表す斜視図である。図３は、図１のIII−III線に沿っての概略断面図である。
【００２５】
図示の粘着テープ包装袋１０は、片方の面に粘着剤層１２を有する粘着テープ１４と、この粘着テープ１４を二つ折りにした状態で封ずる剥離シート１６とから構成されている。粘着テープ１４及び剥離シート１６は共に長方形である。図１及び図２の（ｃ）から理解されるように、粘着テープ包装袋１０はいわゆる三方シール包装型であり、１枚の剥離シート１６を折り畳み、折り曲げた辺を除く３辺がシールされたものである。
【００２６】
なお、この粘着テープ包装袋１０は、ラベル、医療用、化粧用、装飾用、マスキング用、電子工業用、その他種々の用途に使用される。特に、医療用、化粧用等で使用される粘着テープ包装袋は、パップ剤、プラスター剤、絆創膏、サージカルテープ、化粧用パック剤、貼るタイプのカイロなど通常皮膚、粘膜等に貼付される貼付剤の包装袋として用いることが可能である。
【００２７】
図３に示すように、粘着テープ１４は、支持体１８と、その一方の面に積層された粘着剤層１２とを備えている。粘着テープ１４の支持体１８の構成材料は、粘着剤層１２を支持し得るものであれば特に制限されないが、通常、織布、不織布、プラスチック等からなるフィルム、金属箔等が用いられる。更に支持体は、単層構造でも積層構造であってもよく、例えば異なる材料からなる複数の織布又は不織布を積層した構造であってもよく、プラスチックフィルム、金属箔等と織布又は不織布を積層した構造であってもよい。
【００２８】
また、本発明に用いる織布又は不織布は、特に限定はされず、繊維状の素材を布状に加工したものであって、粘着テープの支持体に使用できるものであればよく、例えば編み目を経て編み、緯（よこ）編み等により集合させて布状に加工した編布も含まれる。
【００２９】
織布又は不織布の好ましい例としては、ポリエステル系樹脂、ポリエチレン系樹脂及びポリプロピレン系樹脂からなる群より選ばれる樹脂繊維の少なくとも一種からなる織布又は不織布が挙げられ、中でも粘着剤層に含有される成分との相互作用が少ないポリエステル系のポリエチレンテレフタレートからなる織布が好ましい。
【００３０】
プラスチックフィルムとしては、例えば、ポリエチレンテレフタレートなどのポリエステル、ナイロンなどのポリアミド、ポリエチレン、ポリプロピレンなどのポリオレフィン、ポリ塩化ビニル、可塑化ポリ塩化ビニル、可塑化酢酸ビニル−塩化ビニル共重合体、ポリ塩化ビニリデン、エチレン−酢酸ビニル共重合体、酢酸セルロース、エチルセルロース、エチレン−アクリル酸エチル共重合体、ポリテトラフルオロエチレン、ポリウレタン、アイオノマー樹脂を用いて形成されたものが挙げられる。また、本発明の粘着テープを医療用、化粧用の貼付剤として用いる場合は、支持体には、貼付剤としての十分な伸縮性又は非伸縮性を有する材料を用いることが好ましく、特に、ポリエチレンテレフタレートのメリヤス編みの織布（編み布）が好ましい。
【００３１】
支持体１８としての編み布は、その目付け（単位当たりの質量）が５０〜５００ｇ／ｍ２であることが好ましい。また、支持体１８は、ＪＩＳ  Ｌ１０９６の方法に従って測定した場合、縦方向（長軸方向）３０％モジュラスが２〜１２Ｎ／５ｃｍ、横方向（短軸方向）３０％モジュラスも２〜１２Ｎ／５ｃｍであることが好ましい。なお、ここでいう縦方向とは、編み布を製造する工程における流れ方向のことを指し、横方向とは、縦方向と直交する方向、すなわち幅方向のことを指す。縦方向又は横方向が２Ｎ／５ｃｍより低い３０％モジュラスである場合、貼付部分にしわを伸ばしながら貼付することが困難な傾向がみられ、また、縦方向又は横方向が１２Ｎ／５ｃｍより高い３０％モジュラスである場合は、逆に貼付の際に粘着テープが伸びすぎ、しわが生じやすくなる傾向がある。なお、３０％モジュラス試験は室温（２５℃）の値である。
【００３２】
上記の支持体１８を用いることにより、後述する仮止め部の形成が容易となり、また、仮止め部から取り外した後の支持体１８の形状、構造に殆ど変化がない。すなわち、例えば毛羽立ち等が生じない。また、粘着テープ包装袋１０内の二つ折りが容易で、かつ、嵩張らない。更に、貼付の際は二つ折りにしていた部分に、いわゆる“くせ”が付きにくく、きれいに貼ることができる。
【００３３】
粘着剤層１２の構成材料である粘着成分としては、粘着性を有し貼付部位に貼着することができれば特に限定はされないが、粘着基剤としてアクリル系粘着成分、ゴム系粘着成分、シリコン系粘着成分などが好ましく用いられ、中でも粘着物性の観点から、ゴム系粘着成分が特に好ましく用いられる。
【００３４】
具体的なゴム系粘着成分としては、天然ゴム、合成ゴムのいずれも使用することができ、合成ゴムとしては、例えば、スチレン系ブロックコポリマーやポリイソブチレンが挙げられる。更に、スチレン系ブロックコポリマーとしては、スチレン−ブチレン−スチレンブロックコポリマー（ＳＢＳ）、スチレン−イソプレン−スチレンブロックコポリマー（ＳＩＳ）、スチレン−エチレン／ブチレン−スチレンブロックコポリマー（ＳＥＢＳ）、スチレン−エチレン／プロピレン−スチレンブロックコポリマー（ＳＥＰＳ）が挙げられる。  スチレン系ブロックコポリマーの具体例としては、クレイトンＤ−１１１２、Ｄ−１１１１、Ｄ−１１０７（商品名、クレイトンポリマー（株）製）、ＪＳＲ５０００又はＪＳＲ５００２（商品名、日本合成ゴム（株）製）、クインタック３５３０、３４２１又は３５７０Ｃ（商品名、日本ゼオン（株）製）、クレイトンＤ−ＫＸ４０１ＣＳ又はＤ−１１０７ＣＵ（商品名、クレイトンポリマー（株）製）等のリニアトリブロックコポリマーや、クレイトンＤ−１１２４（商品名、クレイトンポリマー（株）製）、ソルプレン４１８（商品名、フィリップペトロリアム（株）製）等の分岐ブロックコポリマー等が挙げられる。
【００３５】
ポリイソブチレンとしては、例えば高分子から低分子のものが用いられ、例えば、オパノールＢ１０、Ｂ１２、Ｂ１２ＳＦ、Ｂ１５、Ｂ１５ＳＦ、Ｂ３０ＳＦ、Ｂ５０、Ｂ５０ＳＦ、Ｂ８０、Ｂ１００、Ｂ１２０、Ｂ１５０、Ｂ２００（商品名、ＢＡＳＦ（株）製）、ビスタネックスＬＭ−ＭＳ、ＬＭ−ＭＨ、ＬＭ−Ｈ、ＭＭ  Ｌ−８０、ＭＭ  Ｌ−１００、ＭＭ  Ｌ−１２０、ＭＭ  Ｌ−１４０（商品名、エクソン化学（株）製）等が挙げられる。
【００３６】
また、アクリル系高分子としては、モノマー単位として、例えば、アクリル酸−２−エチルヘキシル、アクリル酸メチル、アクリル酸ブチル、アクリル酸ヒドロキシエチル、メタクリル酸−２−エチルヘキシル等に代表される（メタ）アクリル酸エステルを少なくとも一種含有する重合体又は共重合体等が用いられ、例えば、アクリル酸・アクリル酸オクチルエステル共重合体、アクリル酸−２−エチルヘキシル・Ｎ−ビニル−２−ピロリドン・ジメタクリル酸−１，６−ヘキサングリコール共重合体、アクリル酸−２−エチルヘキシル・酢酸ビニル共重合体、アクリル酸−２−エチルヘキシル・酢酸ビニル・アクリル酸共重合体、アクリル酸−２−エチルヘキシル・メタクリル酸−２−エチルヘキシル・メタクリル酸ドデシル共重合体、アクリル酸メチル・アクリル酸−２−エチルヘキシル共重合樹脂エマルジョン、アクリル樹脂アルカノールアミン液に含有するアクリル系高分子等の粘着剤、Ｄｕｒｏ−Ｔａｋアクリル粘着剤シリーズ（ナショナルスターチアンドケミカル社製）、ＧＥＬＶＡアクリル粘着剤シリーズ（モンサント社製）、ＳＫダインマトリダーム（綜研化学）、オイドラギットシリーズ（樋口商会）等が使用できる。
【００３７】
上記ゴム系、アクリル系、シリコン系などの粘着基剤は、一種又は二種以上を混合して用いることも可能である。
【００３８】
更に、本発明の粘着テープを医療用のパップ剤、プラスター剤、化粧用のパック剤として用いる場合には、粘着剤層として水溶性高分子も用いることができ、このような水溶性高分子としては、ゼラチン、寒天、アルギン酸、マンナン、カルボキシメチルセルロース又はその塩、ヒドロキシプロピルセルロース又はその塩、ポリビニルアルコール、ポリアクリル酸又はその塩等、あるいは、これらのうちの少なくとも一種を有機又は無機の架橋剤により架橋したものが好ましく用いられる。
【００３９】
上記の粘着基剤の他、粘着剤層１２には適宜、粘着付与剤、軟化剤、溶解剤、水、増粘剤、湿潤剤、充填剤、架橋剤、重合剤、溶解補助剤、吸収促進剤、安定化剤、抗酸化剤、乳化剤、界面活性剤、ｐＨ調整剤、薬物、紫外線吸収剤等が添加される。
【００４０】
本発明の粘着テープを医療用、化粧用の貼付剤として用いる場合の薬物としては、経皮的に体内に吸収されて薬理効果を発揮するものであれば特に限定されることはなく、例えば、抗炎症剤、鎮痛剤、抗ヒスタミン剤、局所麻酔剤、血行促進剤、麻酔剤、精神安定剤、抗高血圧剤、抗菌剤、血管拡張剤等が挙げられる。
【００４１】
本発明の剥離シート１６は、粘着テープの包装袋として通常使用されているものであれば用いることができる。また、剥離シート１６は、単層又は積層のいずれでもよく、また、構成する材料も本発明の効果を奏するのであれば特に限定されない。例えば、紙、不織布、アルミニウム、セロハン、ナイロン、高密度又は低密度のポリエチレン、ポリエチレンテレフタレート、ポリプロピレン、ポリ塩化ビニル、ポリアミド、ポリ塩化ビニリデン、ポリビニルアルコール、ポリ酢酸ビニル共重合体、ポリカーボネート、ポリスチレン、エチレンビニルアルコール共重合体等から適宜選択することが可能である。
【００４２】
更にこれらに印刷インキ若しくは接着剤などを塗布したもの、又は蒸着若しくはスパッタリングなどの方法で薄膜を設けたものであってもよい。薄膜としては、アルミニウムなどの金属の他、酸化ケイ素、酸化マグネシウム、酸化アルミニウムなどのガスバリヤ性と透明性の高い薄膜が好適である。この中でも、アルミニウムを含むフィルムが好ましく、更にポリエチレン、アルミニウム、ポリエチレンを順次積層したものがより好ましく、更にまた最外層にセロハンを積層したものが好ましく用いられる。
【００４３】
これらの剥離シートは、粘着テープを封入する際に折り畳むため、柔軟性を有するものが好ましい。従って、剥離シートの厚みとしては、折り畳むことができれば特に限定はされないが１０〜５００μｍの範囲であることが好ましく、１５〜３００μｍの範囲であれば更に好ましい。
【００４４】
ここで製造工程に戻ると、まず図２の（ａ）に示すように、剥離シート１６上に、粘着テープ１４が粘着剤層１２を下にして、剥離可能に付着される。このとき、粘着テープ１４の、その短手方向と平行な中心線と、剥離シート１６の、その短手方向と平行な中心線とが、ずれた状態となるように両者が付着される。
【００４５】
次いで、剥離シート１６が粘着テープ１４と共に折り畳まれて、図２の（ｂ）に示す状態となる。剥離シート１６の折曲げ位置は、剥離シート１６の短手方向の中心線上であってもよいが、この中心線から僅かにずらした位置とすることが好ましい。このように中心線から僅かにずらして剥離シート１６を折り畳むことで、図３に概略的に示すように、折曲げ辺縁に対向する剥離シート１６の辺縁（第１の辺縁）２０がずれ、この部分を摘み易くするという効果が得られる。なお、このずれに関しては、粘着テープ包装袋１０の取扱い性を考慮して種々の変形態様が考えられる。例えば、図１及び図２に示す構成では、剥離シート１６の第１部分２２の辺縁２０が第２部分２４の辺縁２０よりも突出した形態を採っているが、逆に第２部分２４の辺縁２０を第１部分２２よりも突出させてもよい。あるいは、包装袋１０の隅部のみにずれ部を形成してもよいし、右半分については第１部分２２が第２部分２４よりも突出し、左半分については第２部分２４が第１部分２２よりも突出した形態としてもよい。
【００４６】
今、折り畳まれた剥離シート１６の半分を第１部分２２、残りの半分を第２部分２４と称し、剥離シート１６と共に折り畳まれた粘着テープ１４の半分を第１部分２６、残りの半分を第２部分２８と称することとする。剥離シート１６を折り畳むと、剥離シート１６の第１部分２２と第２部分２４は、辺縁２０でのずれ以外は、概ね同形かつ同寸法となるが、粘着テープ１４の第１部分２６は第２部分２８よりも大きく、第１部分２６は、第２部分２８からはみ出すはみ出し部分３０を有する状態となる（図３）。
【００４７】
この状態で、剥離シート１６の第１部分２０と第２部分２２との重ね合わされた部分のうち、粘着テープ１４を囲む３辺をシールする（図２の（ｃ））。より詳細には、剥離シート１６の折曲げ辺縁３２に対向する辺縁２０と、その両側の辺縁３４，３６（第２の辺縁３４、第３の辺縁３６）とのそれぞれに沿って、直線状のシール部３８，４０，４２が設けられており、それぞれ、対応の辺縁２０，３４，３６から離間して配置されている。特に、辺縁２０に沿うシール部（第１のシール部）３８は、辺縁３４，３６に沿うシール部４０，４２（第２のシール部４０、第３のシール部４２）よりも辺縁２０からの距離が大きくされている。これによって、シール部３８から外側の部分は摘み代部４４となり、指で摘み易く、開封が容易となる。なお、前述したように剥離シート１６の第１部分２２と第２部分２４の辺縁２０同士を僅かにずらしたことによって、この摘み代部４４を構成する剥離シート１６の重なり合う部分を分離させることが容易となり、一層開封し易くしている。
【００４８】
各シール部３８，４０，４２は直線状であり、その交差部には略直角の角部４６，４８が形成される。この角部４６，４８も辺縁２０，３４，３６のそれぞれから離隔している。以下で詳細に述べるが、角部４６，４８が辺縁２０，３４，３６から離隔していることによって、この部分に力が集中し、開封をより容易ならしめるという効果を奏する。
【００４９】
シール部３８，４０，４２の形成方法としては、ヒートシール法が好適であるが、その他、接着剤等を使用した方法が考えられる。また、いわゆるイージーピール技術を用いることも有効である。イージーピールとは、特許庁ホームページから入手可能な技術分野別特許マップ、一般２１「接着」第３３５頁（ｗｗｗ．ｊｐｏ．ｇｏ．ｊｐ／ｓｈｉｒｙｏｕ／ｓ＿ｓｏｎｏｔａ／ｍａｐ／ｉｐｐａｎ２１／４／４−３−１．ｈｔｍ）に記載されているように、易剥離性を意味し、容器・包装においてヒートシールにより封緘し、開ける時に剥がしやすくしたものをいう。イージーピールは、具体的には、剥離シート１６の第１部分２２と第２部分２４との間における接着剤層自体が破壊されて剥離する凝集剥離タイプや、この接着剤層と第１部分２２又は第２部分２４との接着強度を低くしておき、開封時に第１部分２２又は第２部分２４が接着剤層から剥離する層間剥離タイプ、更には、ＥＶＡ等の易接着性樹脂を用いる界面剥離タイプ等、種々のタイプがあり、特に限定されるものではないが、表面にポリエチレン層が配置されるシート材が剥離シート１６として使用される場合には、イージーピール用の接着剤層として、例えば、高密度ポリエチレンを主体とした樹脂層と、低密度ポリエチレンに凝集破壊を引き起こす樹脂が添加されたイージーピール性樹脂層とからなる２層構造のものを使用するとよい。
【００５０】
剥離シート１６を折り畳んで互いに重ね合わせた第１部分２２と第２部分２４の３辺にシール部を形成することによって、その内部が外界と遮断されるため、粘着テープ１４がより衛生的かつ物理的に保護され、粘着テープ１４の粘着剤層１２に含まれる成分が外界に漏れない、揮発しない等の利点がある。また、剥離シート１６が包装袋としても機能することとなるので、従来存在した個別の包装袋を省略することが可能となる。
【００５１】
なお、完成した粘着テープ包装袋１０の隅部が尖っていることを避けるため、剥離シートは、完成した粘着テープ包装袋１０の隅部の一部、好ましくは四隅の全てが丸められた形状とすることが有効である。図１及び図２の（ｃ）の粘着テープ包装袋１０では、２つの隅部が丸められた状態を示している。
【００５２】
このような粘着テープ包装袋１０において、剥離シート１６の第１部分２２を第２部分２４から引き離して開封すると、二つ折りにされた粘着テープ１４の粘着剤層１２は外側に向いているため、粘着テープ１４の第１部分２６の粘着剤層１２は外部に露出することになる。
【００５３】
しかし、粘着テープ１４の第１部分２６が剥離シート１６の第１部分２２と一緒に移動し、粘着テープ１４の第２部分２８の粘着剤層１２が露出したのでは、表裏どちらの側で粘着剤層１２が露出するのか分からず、不便である。すなわち、開封時には粘着テープ１４の第１部分２６を剥離シート１６の第２部分２４に一次的に保持させ、粘着テープ１４の第１部分２６の粘着剤層１２を露出させることが重要である。そこで、粘着テープ１４の第１部分２６に形成されたはみ出し部分３０は、符号５０，５２，５４で示す箇所で、剥離シート１６の第２部分２４に仮止めされる。
【００５４】
仮止めの手段としては、剥離シート１６の内側となる層が所定の温度で溶融する熱可塑性材料からなり、かつ、粘着テープ１４の支持体１８が例えば織布から形成されている場合には、熱接合が有効である。すなわち、剥離シート１６の外面側から熱を加えると、剥離シート１６の熱可塑性材料が溶融し、粘着テープ１４の支持体１８の織布に浸透し、やがてそこで固化するので、粘着テープ１４のはみ出し部分３０が剥離シート１６の第２部分２４に対して仮止めされることになる。なお、剥離シート１６が熱可塑性を有していない場合であっても、支持体１８の材料に熱可塑性材料を含ませることで、熱接合を行うことも考えられる。
【００５５】
熱接合による仮止め部５０，５２，５４を形成することとした場合、図２の（ｃ）の状態に剥離シート１６を折り畳み、第１部分２０と第２部分２２との重ね合わされた部分３８，４０，４２をヒートシールするのと同時に、或いはヒートシールと連続的に、熱接合を行うことができる。したがって、製造効率が向上するという効果を奏する。
【００５６】
また、仮止め部を配置する位置であるが、図１に示すように、第１のシール部３８に沿う線上だけではなく、第２のシール部４０及び第３のシール部４２に沿う線上にも仮止め部を形成することが好適である。これにより、剥離シート１６の第１部分２２と第２部分２４とを横方向から引き離した場合でも、仮止めの効果を担保することができる。なお、仮止め部５０，５２，５４が配置される線は直線状に限られず、曲線でもよく、また、多重線上に配置してもよい。更に、第１のシール部３８、第２のシール部４０及び第３のシール部４２に沿っている状態であれば、千鳥配列、ジグザグ状、ランダム配列も考えられる。
【００５７】
ところで、この仮止め部により付着力が過度に大きすぎると、貼付部位への貼付の際に剥離シート１６から粘着テープ１４が離れにくくなるという不具合が生じるおそれがある。そこで、剥離シート１６に対する粘着テープ１４のはみ出し部分３０の付着力は、剥離シート１６に対する粘着剤層１２の付着力（粘着力）よりも高くなるようにすることが好ましい。すなわち、仮止め部５０，５２，５４を介しての、剥離シート１６に対する支持体１８の付着力、貼付部位に対する粘着テープ１４の粘着剤層１２の付着力（粘着力）、及び、剥離シート１６に対する粘着テープ１４の粘着剤層１２の付着力は、以下のような関係になる。
貼付部位に対する粘着剤層１２の付着力
＞仮止め部５０，５２，５４を介しての、剥離シート１６に対する支持体１８の付着力
＞剥離シート１６に対する粘着剤層１２の付着力
【００５８】
なお、仮止め部を連続した帯状とした場合には、剥離シート１６における熱可塑性材料の、粘着テープ１４の支持体１８の織布への含浸量が多くなり過ぎることが考えられ、上記関係を得ることが困難となることが考えられる。そこで、本発明では、図１〜３において符号５０，５２，５４で示すように、仮止め部を不連続に形成し、仮止め部の数やその大きさを調整することで、仮止め部の付着力を容易に調整できるようにしている。これによって、粘着テープ包装袋１０の製造効率がより一層向上するものとなり、また、その作用効果においても一定の品質を確保することができる。
【００５９】
なお、仮止め部５０，５２，５４は、熱接合によって形成されるものだけではなく、両面テープ、粘着剤、接着剤、疑似接着、剥離シート１６又は支持体１８の材質、性状等によっては溶着、強押し、型押し、ホットメルト接着剤等を用いることもできる。ここで、疑似接着とは、特許庁ホームページから入手可能な技術分野別特許マップ、一般２１「接着」第３３６頁に記載されているように、平常では粘接着性を有さないが、特殊加圧条件等で接合するものをいい、粘着剤に添加物を加えて生成された疑似接着剤が用いられる。
【００６０】
更に、剥離シート１６は、粘着テープ１４の第１部分２６の粘着剤層１２と剥離シート１６との付着力を抑制する付着力抑制手段を有することが好ましい。この付着力抑制手段としては、剥離シート１６の、粘着テープ１４と接する部分に剥離処理を施すというものが考えられる。特に、この付着力抑制手段は、粘着テープ包装袋１０の開封時に粘着テープ１４の第１部分２６が剥離シート１６から容易に剥離されることを目的としているため、粘着テープ１４の第１部分２６が接する剥離シート１６の部分だけに剥離処理を施してもよいし、かかる目的を達成できるのであれば、その部分の更に一部分のみを剥離処理してもよい。
【００６１】
剥離処理としては、剥離剤を用いる方法の他、エンボス加工、サンド加工等の物理的に剥離を行ないやすくする方法も含まれる。剥離剤としては、シリコン系剥離剤、アルキルペンダント系剥離剤、縮合ワックス系剥離剤等のいずれも用いることができ、この中でもシリコン系剥離剤を用いたいわゆるシリコン処理が好ましい。シリコン処理は、比較的容易かつ安価に行うことができるという利点があるからである。シリコン処理を施すことにより、粘着テープ包装袋１０の使用に際して剥離シート１６を開いたときに、前記の仮止め部５０，５２，５４と協働して、簡単に粘着剤層１２が剥離シート１６から離れて粘着剤層１２が露出することになり、貼付部位への貼付が更に容易となる。
【００６２】
次に、図４及び図５を参照して本実施形態についての粘着テープ包装袋１０の作用について説明する。
【００６３】
図４の（ａ）は、本実施形態についての粘着テープ包装袋１０の斜視図を示している。この状態から、使用者は剥離シート１６の摘み代部４４を摘んで（指は図示せず）、矢印Ａの方向に剥離シート１６の第１部分２２と第２部分２４とを引き離し始める。この際、剥離シート１６の第１部分２２の辺縁２０と第２部分２４の辺縁２０とが僅かにずれているため、指を引っ掛けやすく、第１部分２２と第２部分２４とを容易に分離することができる。
【００６４】
一般に、このような粘着テープ包装袋１０は端から開封することが多い。したがって、図４の（ａ）に示すように包装袋１０の隅部から開き始めると、力は、横のシール部４０と縦のシール部３８との角部４６に集中し、シール部３８，４０の破断が容易に開始されることになる。シール部３８，４０において破断が一度始まると、更に大きな力を加えなくとも、この破断開始点を起点として他の部分に破断が伝播していき、シール部３８，４０，４２全体が破断し、粘着テープ包装袋１０は図４の（ｂ）の状態となる。前述したように、仮止め部５０，５２，５４の存在により、粘着テープ１４の第１部分２６は剥離シート１６の第２部分２４側に一次的に保持されるため、粘着テープ１４の第１部分２６の粘着剤層１２が露出することになる。
【００６５】
ここで、縦のシール部４０と辺縁３４との間に間隙が設けられていない場合、摘み代部４４に加えた力は横のシール部３８の直線部分に作用することになり、力が分散して、開封が困難になることも考えられる。本実施形態に係る構成では、この点が改善されているのである。
【００６６】
また、横のシール部４０と縦のシール部３８との角部４６から破断が開始した場合、仮止めを施している箇所に横方向（辺縁２０に平行な方向）から力が作用することになる。この際、横方向の仮止め部５０のみであると、横方向の力に抗しきれなくなるおそれがあるが、本実施形態では縦方向の仮止め部５２が設けられているため、横方向の力が作用しても、粘着テープ１４の第１部分２６を保持することができる。
【００６７】
図４とは異なり、反対側の隅部から開封されることもあるが、本実施形態に係る粘着テープ包装袋１０は左右対称であるため、上記と同様に軽い力で開封を行うことができ、粘着テープ１４の第１部分２６の粘着剤層１２が露出することになる。また、摘み代部４４の中央を摘んで開封する場合は、指で摘む箇所が広く、その分、大きな力を横のシール部２８に作用させることができるので、隅部からの開封には劣るが、この場合もまた、難なく開封を行うことができる。
【００６８】
図５の（ａ）〜（ｄ）は、本発明の粘着テープが特に医療用、化粧用などの貼付剤として用いられる場合の態様を示すが、これ以外の用途で用いる場合も同様の方法により貼付することができる。すなわち、粘着テープ１４の第１部分２６の粘着剤層１２が露出した粘着テープ包装袋を貼付部位に貼付する方法を示している。まず、当該粘着テープ包装袋を片手に持ち、図５の（ａ）及び（ｂ）に示すように貼付部位ないし貼付部位の近傍に当てる。次に、剥離シート１６の第１部分２０を持ち、図５の（ｃ）に示すように、剥離シート１６をその長手方向かつ粘着テープ１４から遠ざかる向きに、皮膚に沿うように引っ張る。剥離シート１６が引っ張られるに従って、粘着テープ１４の第２部分２８が剥離シート１６から剥がれると同時に貼付部位に貼付される。特に剥離シート１６を引っ張りながら貼付するため、粘着テープ１４にしわがよらずに、これを貼付することができる。図５の（ｄ）は粘着テープ１４の全体を貼付部位に貼付し終えた様子を示す。
【００６９】
本実施形態の粘着テープ包装袋１０では、粘着剤層１２から剥がれた剥離シート１６の第１部分２０に粘着テープ１４を載せた手の親指を添えることができるため、手にしっかり保持することができる。したがって、粘着テープ１４を貼付部位に当てる際に落下させる危険が小さく、また、貼付する際に粘着テープ１４がぶれたり、重力によって意図しない方向に垂れ下がったりする心配が小さいため、安心して貼付部位に狙いを定めて貼付することができる。貼付部位が一人では貼付しにくい背中等であっても、片手で容易に貼付することができる。
【００７０】
なお、上述の使用動作においては粘着剤層が貼付部位以外の皮膚に接触するおそれが小さい。従来型の粘着テープの使用でしばしば体験する手指等への粘着剤層のべたつきがなく、衛生的であり、しかも、剥離シート１６の第１部分２２を剥がした後、粘着テープ１４は剥離シート１６の第２部分２４上で支えられ或いは補強された状態となるので、粘着剤同士が接着し貼付剤が使用できない状態になることもない。
【００７１】
以上、本発明の好適な実施形態について詳細に説明したが、本発明は上記の実施形態に限定されない。
【００７２】
例えば、仮止め部５０，５２，５４の形状は、図１に示すような矩形に限られず、図６の（ａ）に示すような三角形や、（ｂ）に示すように楕円形等、種々考えられる。
【００７３】
また、上記実施形態の粘着テープ包装袋は三方シール包装型であるが、折曲げ辺縁に沿ってシールを施した四方シール包装型とすることもできる。
【００７４】
更に、図７に示すように、実質的に同形の剥離シート１６ａ，１６ｂを２枚用意し、これを重ね合わせて四辺にシール部３８，４０，４２，６０を設けた粘着テープ包装袋１０としてもよい。この四方シール包装型の場合、粘着テープ１４は予め折り畳んだ状態で剥離シート１６ｂ上に載置する必要があり、また、貼付を行う際には、剥離シート１６ａを剥離シート１６ｂから除去する必要があるが、その他の機能及び使用方法においては上記実施形態と相違するところはない。
【符号の説明】
【００７５】
１０…粘着テープ包装袋、１２…粘着剤層、１４…粘着テープ、１６，１６ａ，１６ｂ…剥離シート、１８…支持体、２０…第１の辺縁、２２…剥離シートの第１部分、２４…剥離シートの第２部分、２６…粘着テープの第１部分、２８…粘着テープの第２部分、３０…はみ出し部分、３２…第４の辺縁、３４…第２の辺縁、３６…第３の辺縁、３８…第１のシール部、４０…第２のシール部、４２…第３のシール部、４４…摘み代部、４６，４８…角部、５０，５２，５４…仮止め部、６０…第４のシール部。
【図１】
2012144287.tif 000003
【図２】
2012144287.tif 000004
【図３】
2012144287.tif 000005
【図４】
2012144287.tif 000006
【図５】
2012144287.tif 000007
【図６】
2012144287.tif 000008
【図７】
2012144287.tif 000009
【国際調査報告】
2012144287.tif 000010
2012144287.tif 000011
2012144287.tif 000012
2012144287.tif 000013